(57)【要約】  【課題】  前記プロジェクタを家具や高い棚などにひっくり返して載置する場合、必要な箇所に支持手段を設けて製造コストを安価に抑え、かつ、載置方法を切替える際に、支持手段を取り外して、入れ替える必要がなく、支持手段の操作の煩わしさや紛失の恐れを防止すること。  【解決手段】  投射光学系を収容する外装ケース２を備えたプロジェクタであって、前記外装ケース２の上面部分２ｃの後部と、下面部分２ｄの前部にそれぞれ支持手段５を設けるようにした。【選択図】  図１
2007057742.tif 000002
【特許請求の範囲】
【請求項１】
投射光学系を収容する外装ケースを備えたプロジェクタであって、前記外装ケースの上面の後部と、下面の前部にそれぞれ支持手段を設けたことを特徴とするプロジェクタ。
【請求項２】
投射光学系を収容する外装ケースを備えたプロジェクタであって、前記外装ケースの両側面の後部と、前部にそれぞれ支持手段を設け、後部の支持手段が上側に突設するとともに、前部の支持手段が下側に突設することを特徴とするプロジェクタ。
【請求項３】
前記外装ケースの両側面に、前記支持手段を収納する収納部を設けたことを特徴とする請求項２記載のプロジェクタ。
【請求項４】
投射光学系を収容する外装ケースを備えたプロジェクタであって、前記外装ケースの両側面に、端部に支持部を備えた支柱部を回動可能に支持した支持手段を設け、前記支持手段を回動させることにより、前記支持部を前記両側面の後部から上側に突設するか、前記支持部を前記両側面の前部から下側に突設するかを切替可能にしたことを特徴とするプロジェクタ。
【発明の詳細な説明】
【技術分野】
【０００１】
本発明は、プロジェクタに関するものであり、詳細には、前記プロジェクタを家具や高い棚などに上下ひっくり返して載置する場合、製造コストが安価で済み、かつ、支持手段の操作の煩わしさや紛失の恐れを防止する支持構造に関する。
【０００２】
前記プロジェクタの載置方法には、室内の壁面に設置したスクリーンと観察者との間にテーブルを設置し、このテーブルの上に載置する方法、前記プロジェクタを上下ひっくり返してあおり方向を下方とした姿勢で天井から吊下げる方法、室内の壁面に設置したスクリーンと対向する位置にある家具上に、前記プロジェクタを上下ひっくり返してあおり方向を下方とした姿勢で載置する方法の３つに大別されている。
【０００３】
前記テーブルの上に載置する方法では、スクリーンと対向する壁面に家具があると、前記プロジェクタから前記スクリーンまでの投射距離を十分に確保できない場合があり、前記天井から吊下げる方法では、前記天井裏にプロジェクタを取り付けるための下地材や取り付け金具の取り付け工事が必要であり、投射距離や取り付け工事を気にせずに手軽に載置する方法として前記家具上にひっくり返して載置する方法が注目されている。
【０００４】
一方、投射距離が十分に確保できる場合には、前記テーブルの上に載置する方法で十分であるので、前記天井から吊下げる必要がなく、前記テーブルの上に載置する方法と前記家具上にひっくり返して載置する方法との切替が簡単にできることが求められている。
【背景技術】
【０００５】
従来のこの種の前記プロジェクタは、外装ケースの第１支持面および第２支持面の複数箇所の取り付け孔に支持手段を着脱可能にし、一方の支持面の取り付け孔に支持手段を螺合可能に取り付け、他方の支持面の取り付け孔を蓋部材で塞ぐことにより、前記プロジェクタを上下ひっくり返して載置する場合、取り付け工事を不要とする構成となっている（例えば、特許文献１参照。）。
【０００６】
この前記プロジェクタは、前記特許文献１の図１０に示すように、前記外装ケースは、前記投写光学系の光軸に対してあおり方向側に第１支持面を有し、前記投写光学系の光軸に対してあおり方向と反対側に第２支持面を有し、前記第１支持面および前記第２支持面には、それぞれ、これら支持面から突出し前記外装ケースを支持する支持手段が着脱可能な取り付け孔が形成され、前記支持手段が、前記第１支持面または前記第２支持面の一方の前記取り付け孔に螺合されて装着され、他方の前記取り付け孔を蓋部材で塞ぐ構成となっている。
【０００７】
具体的には、前記プロジェクタは、光源から射出された光束を、画像情報に応じて変調して光学像を形成する光変調装置と、この光変調装置で形成された光学像を拡大して投写する投写光学系と、前記光変調装置および前記投写光学系を収容する外装ケースとを備え、前記投写光学系が、その光軸が投写領域の中心軸があおり方向にずれるように配置されたものであって、前記特許文献１の図１０に示すように、外装ケース２の上面部分２１０には、その前方側の中央位置および後方側の両隅部に、内周面に雌ねじが刻設された取り付け孔としての貫通孔２１８がそれぞれ形成されており、各貫通孔２１８の上面部分２１０側に、凹部２１９がそれぞれ形成されている。
【０００８】
また、前記外装ケース２の下面部分２５０には、各貫通孔２１８に相対向する位置に、内周面に雌ねじが刻設された取り付け孔としての貫通孔２５８がそれぞれ形成されており、各貫通孔２５８の下面部分２５０側に、凹部２５９がそれぞれ形成されている。
【０００９】
支持手段６５は、円板状の支持部６５１と、この支持部６５１に垂直に延びて外周面には雄ねじが刻設された軸部６５２とを備え、各支持手段６５は、軸部６５２で貫通孔２１８、貫通孔２５８に螺合することにより、上面部分２１０および下面部分２５０から突出するとともに着脱可能とされており、図１０に示す各支持手段６５は、貫通孔２１８に取り付けられている。
【００１０】
蓋部材６６は、支持手段６５と略同一形状である円板状の蓋部６６１と、この蓋部６６１から垂直に延びる軸部６６２とを備え、ゴムや合成樹脂等の弾性を有する材料で一体に形成されている。蓋部材６６は、貫通孔２１８、貫通孔２５８を塞ぐものであって、軸部６６２が貫通孔２１８、貫通孔２５８に、蓋部６６１が凹部２１９、凹部２５９に、それぞれ嵌合可能とされており、図１０に示す各蓋部材６６は、貫通孔２５８に取り付けられている。
【００１１】
したがって、前記特許文献１による前記プロジェクタによれば、上面部分２１０の貫通孔２１８に支持手段６５を取り付け、上面部分２１０から突出して設けたので、上面部分２１０を下側として前記プロジェクタを前記家具上に載置しても、支持手段６５で外装ケース２を支持でき、天井から吊り下げることがなく、取り付け工事が不要となるものである。
【００１２】
【特許文献１】特開２００４−０８５７２６号公報（第１３頁〜第１４頁、第１０図）
【発明の開示】
【発明が解決しようとする課題】
【００１３】
しかしながら、前記特許文献１による前記プロジェクタによれば、前記プロジェクタを前記家具上の載置または前記テーブル上の載置へ室内環境に応じて載置方法を切替える場合、前記上面部分２１０および前記下面部分２５０の前方側の中央位置および後方側の両隅部に取り付けられた前記支持手段６５と前記蓋部材６６を取り外して、それぞれを入れ替えなければならないため、前記支持手段６５と前記蓋部材６６の操作の煩わしさや紛失の恐れがあるという問題点があった。
【００１４】
この問題点は、前記支持手段６５を入れ替えることなく載置方法を切替える支持構造にすることにより解決されるが、例えば、前記特許文献１の図９に示すように、前記上面部分２１０の支持手段６１７を突設させて前記下面部分２５０の支持手段６１７を突設させず、また、この逆で前記上面部分２１０の支持手段６１７を突設させず前記下面部分２５０の支持手段６１７を突設させる機構を組み込んだ支持構造とすると、前述と同様に、前記上面部分２１０および前記下面部分２５０の前方側の中央位置および後方側の両隅部に複雑な構造を要することになって、製造コストが増加してしまうという問題点があった。
【００１５】
本発明は上記問題点に鑑み、前記プロジェクタを家具上や高い棚などに上下ひっくり返して載置する場合、必要な箇所に支持手段を設けて製造コストを安価に抑え、かつ、載置方法を切替える際に、支持手段を取り外して、入れ替える必要がなく、支持手段の操作の煩わしさや紛失の恐れを防止することができるプロジェクタの支持構造を提供することを目的とする。
【課題を解決するための手段】
【００１６】
本発明は上記課題を解決するため、請求項１記載の発明は、投射光学系を収容する外装ケースを備えたプロジェクタであって、前記外装ケースの上面の後部と、下面の前部にそれぞれ支持手段を設けたことを特徴とする構成となっている。
【００１７】
請求項２記載の発明は、投射光学系を収容する外装ケースを備えたプロジェクタであって、前記外装ケースの両側面の後部と、前部にそれぞれ支持手段を設け、後部の支持手段が上側に突設するとともに、前部の支持手段が下側に突設することを特徴とする構成となっている。
【００１８】
請求項３記載の発明は、請求項２記載の発明において、前記外装ケースの両側面に、前記支持手段を収納する収納部を設けたことを特徴とする構成となっている。
【００１９】
請求項４記載の発明は、投射光学系を収容する外装ケースを備えたプロジェクタであって、前記外装ケースの両側面に、端部に支持部を備えた支柱部を回動可能に支持した支持手段を設け、前記支持手段を回動させることにより、前記支持部を前記両側面の後部から上側に突設するか、前記支持部を前記両側面の前部から下側に突設するかを切替可能にしたことを特徴とする構成となっている。
【発明の効果】
【００２０】
請求項１、請求項２または請求項４記載の本発明によれば、前記外装ケースの上面の後部と、下面の前部に、または、前記外装ケースの両側面の後部と、前部に、それぞれ支持手段を設けるようにしたので、前記特許文献１のように、載置方法を切替える際に、支持手段を取り外して、入れ替える必要がないため、支持手段の操作の煩わしさや紛失の恐れを防止することができる。また、本発明によれば、支持手段を必要な箇所のみに設けるようにしたので、前記特許文献１のように、上面部分と下面部分のそれぞれの前方側の中央位置および後方側の両隅部に、支持手段を設けていないため、製造コストを安価に抑えることができる。更に、請求項１記載の本発明によれば、前記特許文献１のように、支持手段を入れ替えることなく載置方法を切替える支持手段を組み込んだ機構に比べて、必要な箇所のみに支持手段を設け、かつ、簡単な構造にすることで、製造コストを安価に抑えることができる。
【００２１】
請求項３記載の本発明によれば、前記外装ケースの両側面に前記支持手段を収納する収納部を設けたので、前記支持手段を収納可能にし、載置方法に応じて未使用となった前記支持手段を収納することで、外観を良好に保つことができる。
【発明を実施するための最良の形態】
【００２２】
以下、本発明の実施の形態を、添付図面に基づいた実施例として詳細に説明する。図１は本発明によるプロジェクタの第一実施例を模式的に示す図で（Ａ）は斜視図、（Ｂ）は側面図、（Ｃ）は支持手段のチルト機能未使用時の断面図、（Ｄ）は支持手段のチルト機能使用時の断面図、図２は本発明によるプロジェクタを載置した状態を示す図で（Ａ）はテーブルに載置した状態を示す図、（Ｂ）は高い棚に載置した状態を示す図、図３は本発明によるプロジェクタの第一実施例の変形例を模式的に示す図で（Ａ）は斜視図、（Ｂ）は支持手段のチルト機能未使用時の断面図、（Ｃ）は支持手段のチルト機能使用時の断面図、図４は本発明によるプロジェクタの第二実施例を模式的に示す図で（Ａ）は斜視図、（Ｂ）は側面図、（Ｃ）は支持手段のチルト機能未使用時の断面図、（Ｄ）は支持手段のチルト機能使用時の断面図、図５は図４における支持手段の収納機能を説明する図で（Ａ）は断面図、（Ｂ）は（Ａ）のａ−ａ’矢視の断面図である。
【００２３】
図６は本発明によるプロジェクタの第二実施例の変形例を模式的に示す図で（Ａ）は補助支持部を外装ケースに設けた斜視図、（Ｂ）は補助支持部を支持手段に設けた斜視図、図７は本発明におけるプロジェクタの第三実施例を模式的に示す図で（Ａ）は斜視図、（Ｂ）はテーブルに載置する場合の支持手段の状態を示す側面図、（Ｃ）は高所の棚にひっくり返して載置する場合の支持手段の状態を示す側面図、図８は図７における支持手段の断面図で（Ａ）は支持手段のチルト機能未使用時の断面図、（Ｂ）は支持手段のチルト機能使用時の断面図、（Ｃ）は支持手段の保持機能を示す断面図、図９は図７における支持手段の他の例の断面図で（Ａ）は支持手段の回動部を示す断面図、（Ｂ）は支持手段の保持機能の保持状態を示す断面図、（Ｃ）は支持手段の保持機能の開放状態を示す断面図である。
【００２４】
そして、本発明によるプロジェクタは、投射光学系を収容する外装ケースを備えたプロジェクタであって、前記外装ケースの上面の後部と、下面の前部にそれぞれ支持手段を設けたことを特徴とするものである。
【００２５】
また、本発明によるプロジェクタは、投射光学系を収容する外装ケースを備えたプロジェクタであって、前記外装ケースの両側面の後部と、前部にそれぞれ支持手段を設け、後部の支持手段が上側に突設するとともに、前部の支持手段が下側に突設することを特徴とするものである。
【００２６】
更に、本発明によるプロジェクタは、投射光学系を収容する外装ケースを備えたプロジェクタであって、前記外装ケースの両側面に、端部に支持部を備えた支柱部を回動可能に支持した支持手段を設け、前記支持手段を回動させることにより、前記支持部を前記両側面の後部から上側に突設するか、前記支持部を前記両側面の前部から下側に突設するかを切替可能にしたことを特徴とするものである。
【実施例１】
【００２７】
本発明によるプロジェクタの第一実施例を図１および図２を用いて説明する。図１（Ａ）及び図１（Ｂ）に示すように、前記プロジェクタ１は、外装ケース２と、投射レンズ３と、表示部４と、支持手段５と、補助支持部６とを備え、前記外装ケース２が前記支持手段５および前記補助支持部６を介してテーブル上や高い棚等の載置面に載置されるものである。
【００２８】
前記外装ケース２は、方形状に形成されている。前記投射レンズ３は、前記外装ケース２の前面一側に突設されている。前記表示部４は、前記外装ケース２の前面他側にＬＥＤ等から構成されている。前記支持手段５は、前記外装ケース２の上面部分２ｃの後部と下面部分２ｄの前部に突設可能に設けられている。前記補助支持部６は、前記外装ケース２の上面部分２ｃの前部の両側と下面部分２ｄの後部の両側に突設されている。
【００２９】
前記外装ケース２内には、図示を省略しているが、光源から射出された光束を、画像情報に応じて変調して光学像を形成する光変調装置と、この光変調装置で形成された光学像を拡大して投写する投写光学系が収容されている。前記投写光学系は、その光軸が投写領域の中心軸があおり方向にずれるように配置されている。また、図１（Ｃ）及び図１（Ｄ）に示すように、前記外装ケース２の前記上面部分２ｃの後部には、前記支持手段５を収容する収容部２ｇと、この収容部２ｇの内底部分から、内周面に雌ねじが刻設された取り付け孔としての挿通孔２ａとが形成されている。前記挿通孔２ａには、前記外装ケース２の内側に、すなわち、前記上面部分２ｃから反対側に凹部２ｂが形成されている。同様に、前記外装ケース２の前記下面部分２ｄの前部にも、前記収容部２ｇと、前記挿通孔２ａとが形成されている。
【００３０】
前記支持手段５は、図１（Ａ）、図１（Ｃ）及び図１（Ｄ）に示すように、支持部５ａと、支持軸５ｂと、雄ねじ部５ｃと、Ｅリング５ｄと、凹部５ｅとから構成されている。前記支持部５ａは、円盤状に形成され、前記載置面に接する脚部の機能を持ち、この脚部にはゴムや合成樹脂等の弾性を有する衝撃緩衝、かつ、滑り止め材を形成している。前記支持軸５ｂは、前記支持部５ａの中心から垂直に延びている。前記雄ねじ部５ｃは、前記支持軸５ｂの外周面に刻設されている。前記Ｅリング５ｄは、抜け止め用として前記雄ねじ部５ｃの上端に嵌められている。凹部５ｅは、前記支持部５ａの前記載置面に接する部分に形成され、前記支持部５ａを回転させるものであり、前記支持部５ａを前記収容部２ｇ内から突設、または、前記収容部２ｇ内に収容できるようになっている。
【００３１】
前記外装ケース２を支持する前記支持手段５は、前記外装ケース２の前記挿通孔２ａに前記支持手段５の前記雄ねじ部５ｃにより螺合させ、前記外装ケース２の前記凹部２ｂに前記支持手段５の前記Ｅリング５ｄが収まるように構成され、前記支持手段５を回転することで投写角度の調整を行うことができ、前記支持手段５を回転し過ぎたとしても前記Ｅリング５ｄにより抜け落ちることがないようになっている。前記支持手段５の前記凹部５ｅに指などをあてて回転することにより、テーブル上に載置する方法または高い棚上等へ載置する方法に対応して、前記載置面側の前記支持手段５の前記支持部５ａを前記収容部２ｇ内から突設し、前記載置面と反対側の前記支持手段５の前記支持部５ａを前記収容部２ｇに収容することできるようになっている。
【００３２】
図１（Ａ）および図１（Ｂ）に示す前記支持手段５は、前記外装ケース２の前記上面部分２ｃの後部と前記下面部分２ｄの前部にそれぞれ１箇所ずつ突設できるようにしているが、図２（Ａ）に示すように、室内７に配置されたテーブル９上に前記プロジェクタ１を載置する場合、前記プロジェクタ１には、その光軸が投射領域の中心軸があおり方向にずれるように配置された前記投射光学系が収容され、前記投射領域が最初から上方にずれた状態で、映像情報が壁に設置されたスクリーン８に投射されるようになっているので、前記投射領域を下方に調整することがほとんど皆無であり、最低限必要な箇所として、前記下面部分２ｄの前部に１箇所突設できるようになっている。
【００３３】
また、図２（Ｂ）に示すように、前記室内７に配置されたタンスや本棚等の高い棚１０上に前記プロジェクタ１を載置する場合、前記プロジェクタ１を上下反転して載置するため、前記あおり方向は図示のように、前記投射領域が最初から下方にずれた状態で、映像情報が前記スクリーン８に投射されるようになっているので、前記投射領域を上方に調整することがほとんど皆無であり、最低限必要な箇所として、前記上面部分２ｃの後部に１箇所突設できるようになっている。なお、前記上面部分２ｃの後部の両隅と、前記下面部分２ｄの前部の両隅に、前記支持手段５および前記挿通孔２ａの組を４箇所突設できるようにしてもよい。
【００３４】
これまで説明してきた実施例１によれば、前記支持部５ａに前記凹部５ｅを設けたものとしたが、本発明はこれに限るものではなく、図３（Ａ）乃至図３（Ｃ）に示すように、前記外装ケース２の前面と後面が開放された収容部２ｇ’を形成することにより前記凹部５ｅを設けなくてもよい。この場合には、前記収容部２ｇ’の側面の開放部分から前記支持手段５の前記支持部５ａが露出状態となっているので、この露出部分に触れて回転させることで、投写角度の調整ができ、前記実施例１と同様に、前記支持部５ａを収容することができるようになっている。また、前記支持手段５を両隅に設ける場合には、前記外装ケース２の側面が開放されてもよい。
【００３５】
また、これまで説明してきた実施例では、前記外装ケース２に前記収容部２ｇを設け、載置する方法に応じて使用しない前記支持手段５の前記支持部５ａを突設させないように外観を考慮するようにしたが、本発明はこれに限るものではなく、必ずしも前記収容部２ｇを設けなくてもよい。
【００３６】
これまで説明してきた実施例１によれば、前記外装ケース２の上面の後部と、下面の前部に、それぞれ突出する前記支持手段５を設けるようにしたので、前記特許文献１のように、載置方法を切替える際に、支持手段を取り外して、入れ替える必要がないため、支持手段の操作の煩わしさや紛失の恐れを防止することができ、また、前記支持手段５を必要な箇所のみに設けるようにしたので、前記特許文献１のように、上面部分と下面部分のそれぞれの前方側の中央位置および後方側の両隅部に、支持手段を設けていないため、製造コストを安価に抑えることができる。さらに、前記特許文献１のように、支持手段を入れ替えることなく載置方法を切替える支持手段を組み込んだ機構に比べ、必要な箇所のみに前記支持手段５を設けるようにしたので、簡単な構造にすることができる。
【実施例２】
【００３７】
次に、本発明によるプロジェクタの第二実施例を図４を用いて説明する。なお、図１で説明してきた同一構成部分は、図１で用いた同一符号を付している。図４（Ａ）および図４（Ｂ）に示すように、前記プロジェクタ１は、外装ケース２と、投射レンズ３と、表示部４と、支持手段１１と、補助支持部６とを備え、前記外装ケース２が前記支持手段１１および前記補助支持部６を介してテーブル上や高い棚等の載置面に載置されるものである。
【００３８】
前記投射レンズ３、前記表示部４および前記補助支持部６は、前記実施例１で説明してきた同一構成部分であるので、ここでは説明を省略することとし、前記外装ケース２、前記支持手段１１について説明する。前記外装ケース２内には、前記実施例１と同様に、光変調装置と投写光学系が収容され、前記投写光学系は、その光軸が投写領域の中心軸があおり方向にずれるように配置されており、図４（Ａ）および図４（Ｂ）に示すように、前記支持手段１１は、前記外装ケース２の両方の側面部分２ｅ（以下、両側面と称す）の後部と、前部にそれぞれ設けられ、前記外装ケース２の両側面に、前記支持手段１１を収納する前側収納部２ｈａと後側収納部２ｈｂとが設けられ、図４（Ａ）および図４（Ｂ）では前記後側収納部２ｈｂに前記支持手段１１を収納した状態を示している。
【００３９】
前記支持手段１１は、図４（Ａ）乃至図４（Ｄ）に示すように、支持部１１ａと、支持軸１１ｂと、主軸１１ｃと、雄ねじ部１１ｄと、Ｅリング１１ｅとから構成されている。前記支持部１１ａは、円盤状に形成され、前記載置面に接する脚部の機能を持ち、この脚部にはゴムや合成樹脂等の弾性を有する衝撃緩衝、かつ、滑り止め材を形成している。前記支持軸１１ｂは、前記支持部１１ａの中心から垂直に延びている。前記主軸１１ｃは、前記外装ケース２の前記両側面の前記前側収納部２ｈａと前記後側収納部２ｈｂから延びた支柱を構成し、この支柱の一端に前記支持軸１１ｂが挿通される挿通孔１１ｃａを、この支柱の他端に前記前側収納部２ｈａと前記後側収納部２ｈｂの内方に前記支持手段１１を収納するための回転機構を形成している。更に、前記挿通孔１１ｃａの端面には、凹部１１ｃｂが形成されている。前記雄ねじ部１１ｄは、前記支持軸１１ｂの外周面に刻設されている。前記Ｅリング１１ｅは、抜け止め用として前記雄ねじ部１１ｄの上端に嵌められている。
【００４０】
前記主軸１１ｃを構成する前記支柱の他端の回転機構は、図５（Ａ）および図５（Ｂ）に示すように、前記外装ケース２の前記前側収納部２ｈａの底部から内部に向かって貫通するガイド孔２ｉに対して、前記支持手段１１を使用状態または収納状態に保持するための突出部１１ｃｃを形成している。前記ガイド孔２ｉには、第一ガイド溝２ｉａと、第一保持穴２ｉｂと、第二ガイド溝２ｉｃと、第二保持穴２ｉｄを備え、前記突出部１１ｃｃには、保持片１１ｃｄと、バネ１１ｃｅを備えている。
【００４１】
前記突出部１１ｃｃは、先端が開放された円柱状の凹部になっており、前記保持片１１ｃｄは、前記突出部１１ｃｃの先端に位置している。前記バネ１１ｃｅは、前記突出部１１ｃｃの前記凹部内で前記保持片１１ｃｄに連結され、前記保持片１１を前記突出部１１ｃｃの先端に位置させるか、前記凹部に引っ込めさせるものである。
【００４２】
前記第一ガイド溝２ｉａは、前記ガイド孔２ｉの内面の左右から奥に水平に形成されている。第一保持穴２ｉｂは、前記第一ガイド溝２ｉａの奥の終端部分に形成され、前記保持片１１ｃｄが嵌められて保持する穴となっている。第二ガイド溝２ｉｃは、前記第一ガイド溝２ｉａの奥の終端部分から、前記ガイド孔２ｉの内周に形成され、更に、前記ガイド孔２ｉの内面の上下から奥に垂直に形成されている。第二保持穴２ｉｄは、第二ガイド溝２ｉｃの奥の終端部分に形成され、前記保持片１１ｃｄが嵌められて保持する穴となっている。
【００４３】
図５では、前記支持手段１１を使用状態に保持していることを示し、前記主軸１１ｃの前記突出部１１ｃｃを前記第一ガイド溝２ｉａの奥の終端部分まで移動させ、前記第一保持穴２ｉｂにおいて前記保持片１１ｃｄを保持している。なお、前記突出部１１ｃｃに備えた前記保持片１１ｃｄは、前記第一ガイド溝２ｉａを移動している間、前記凹部に引っ込んでいて、前記第一保持穴２ｉｂの位置で、前記突出部１１ｃｃの先端に飛び出て前記第一保持穴２ｉｂに嵌められる。また、前記支持手段１１を収納状態に保持するには、前記主軸１１の前記突出部１１ｃｃを前記第二ガイド溝２ｉｃの奥の終端部分まで移動させ、前記第二保持穴２ｉｄにおいて前記保持片１１ｃｄを保持させる。前記突出部１１ｃｃに備えた前記保持片１１ｃｄの前記第二ガイド溝２ｉｃの移動は、円周方向に９０度回転させた後、奥の終端部分まで移動させる。なお、前記保持片１１ｃｄは、前記第二ガイド溝２ｉｃを移動している間、前記凹部に引っ込んでいて、前記第二保持穴２ｉｄの位置で、前記突出部１１ｃｃの先端に飛び出て前記第二保持穴２ｉｄに嵌められる。
【００４４】
なお、図５においては、前記外装ケース２の前記前側収納部２ｈａに、前記支持手段１１を使用状態または収納状態に保持する例を説明してきたが、前記後側収納部２ｈｂに前記支持手段１１を使用状態または収納状態に保持する場合には、図５（Ｂ）に示すように、前記第二ガイド溝２ｉｃにおける前記第一ガイド溝２ｉａの奥の終端部分から、前記ガイド孔２ｉの内周に形成された部分について、図面を左右反転させた構成となるように、前記第二ガイド溝２ｉｃを形成することにより、前記主軸１１ｃの前記突出部１１ｃｃの回転機構を利用して前記支持手段１１を使用状態または収納状態に保持することができるようになっている。
【００４５】
前記外装ケース２を支持する前記支持手段１１は、前記主軸１１ｃの前記挿通孔１１ｃａに前記雄ねじ部１１ｄにより螺合させ、前記挿通孔１１ｃａの前記凹部１１ｃｂに前記Ｅリング１１ｅが収まるように構成され、前記実施例１と同様に、前記支持手段１１を回転することで投射角度の調整を行うことができ、前記支持手段１１を回転し過ぎたとしても前記Ｅリング１１ｅにより抜け落ちることがないようになっている。なお、これまで説明してきた実施例２による前記プロジェクタ１においても、前記実施例１と同様に、図２（Ａ）および図２（Ｂ）に示すように、前記室内７に配置された前記テーブル９上に前記プロジェクタ１を載置する場合や、前記室内７に配置された前記高い棚１０上に前記プロジェクタ１を載置する場合に適用できる。図４（Ａ）および図４（Ｂ）に示すように、前記外装ケース２の前記前側収納部２ｈａの方の前記支持手段１１を、前記外装ケース２の下側に突設させ、前記外装ケース２の前記後側収納部２ｈｂの方の前記支持手段１１を、前記後側収納部２ｈｂに収納させると、前記テーブル９上に前記プロジェクタ１を載置することができ、前記外装ケース２の前記前側収納部２ｈａの方の前記支持手段１１を、前記前側収納部２ｈａに収納させ、前記外装ケース２の前記後側収納部２ｈｂの方の前記支持手段１１を、前記外装ケース２の上側に突設させて、前記プロジェクタ１を引っくり返すと、前記高い棚１０上に前記プロジェクタ１を載置することができる。
【００４６】
また、これまで説明してきた実施例２では、前記外装ケース２の両側面に、前記支持手段１１を収納する前記前側収納部２ｈａと前記後側収納部２ｈｂとを設け、前記支持手段１１を前記両側面より内方に収納可能にし、載置する方法に応じて使用しない前記支持手段１１を突設させないように外観を考慮するようにしたが、本発明はこれに限るものでなく、図６（Ａ）に示すように、前記外装ケース２の両側面の後部と、前部にそれぞれ前記支持手段１１を設け、後部の前記支持手段１１が上側に突設するとともに、前部の前記支持手段１１が下側に突設するようにしてもよい。また、図４および図６（Ａ）では、前記外装ケース２の前記上面部分２ｃの前部の両側と前記下面部分２ｄの後部の両側に、前記補助支持部６を突設するようにしたが、本発明はこれに限るものでなく、図６（Ｂ）に示すように、前記支持手段１１の前記主軸１１ｃの支柱が延びる方向と反対側の方向に一体に補助支持部６ａを形成するようにして、図６（Ａ）の前記補助支持部６と同様な機能を、前記支持手段１１に持たせてもよい。
【００４７】
これまで説明してきた実施例２によれば、前記実施例１と同様に、前記外装ケース２の両側面の後部と、前部にそれぞれ前記支持手段１１を設け、後部の前記支持手段１１が上側に突設するとともに、前部の前記支持手段１１が下側に突設するようにしているので、支持手段の操作の煩わしさや紛失の恐れを防止することができ、また、前記支持手段１１を必要な箇所のみに設けるようにしたので、製造コストを安価に抑えることができる。
【実施例３】
【００４８】
次に、本発明によるプロジェクタの第三実施例を図７乃至図９を用いて説明する。なお、図１で説明してきた同一構成部分は、図１で用いた同一符号を付している。図７（Ａ）乃至図７（Ｃ）に示すように、前記プロジェクタ１は、外装ケース２と、投射レンズ３と、表示部４と、支持手段１２と、補助支持部６とを備え、前記外装ケース２が前記支持手段１２および前記補助支持部６を介してテーブル上や高い棚等の載置面に載置されるものである。
【００４９】
前記投射レンズ３、前記表示部４および前記補助支持部６は、前記実施例１で説明してきた同一構成部分であるので、ここでは説明を省略することとし、前記外装ケース２、前記支持手段１２について説明する。前記外装ケース２内には、前記実施例１と同様に、光変調装置と投写光学系が収容され、前記投写光学系は、その光軸が投写領域の中心軸があおり方向にずれるように配置されており、図７（Ａ）乃至図７（Ｃ）に示すように、前記支持手段１２は、前記外装ケース２の両方の側面部分２ｅ（以下、両側面と称す）に、端部に支持部を備えた支柱部を回動可能に支持するように設けられ、前記支持手段１２を回動させることにより、前記支持部を前記両側面の後部から上側に突設するか、前記支持部を前記両側面の前部から下側に突設するかを切替可能にしている。
【００５０】
前記支持手段１２は、図７乃至図９に示すように、支持部１２ａと、支持軸１２ｂと、保持部１２ｃと、回動部１２ｄと、支柱部１２ｅと、支持用雄ねじ部１２ｇと、支持用Ｅリング１２ｈとから構成されている。前記支持部１２ａは、円盤状に形成され、前記載置面に接する脚部の機能を持ち、この脚部にはゴムや合成樹脂等の弾性を有する衝撃緩衝、かつ、滑り止め材を形成している。前記支持軸１２ｂは、前記支持部１２ａの中心から垂直に延びている。前記保持部１２ｃは、前記載置面に応じて前記支持手段１２の前記支柱部１２ｅの位置を保持するもので、ツマミの中心から垂直に延びた保持軸１２ｃａと、前記ツマミから反対方向の前記保持軸１２ｃａの端部側に近い方に、その外周面に刻設された保持用雄ねじ部１２ｃｂと、前記保持用雄ねじ部１２ｃｂと前記ツマミの間の前記保持軸１２ｃａの部分に、抜け止め用として嵌められた保持用Ｅリング１２ｃｃとを備えている。前記回動部１２ｄは、前記外装ケース２の前記両側面の中央部分に備え、後述する前記支柱部１２ｅを回動可能に取り付けているものである。前記支柱部１２ｅは弾性を有した棒状に形成され、前記回動部１２ｄの両側には、例えば、前記回動部１２ｄに対して左右対称となるところに、前記支持部１２ａの位置を手動操作で可変させるための手かけ１２ｅａを備えている。
【００５１】
また、前記支柱部１２ｅの一端と、前記手かけ１２ｅａとの間に、前記保持部１２ｃの前記保持軸１２ｃａに対応する保持孔としての保持用挿通孔１２ｅｂと、前記外装ケース２の前記両側面に向かって保持用凹部１２ｅｃが形成されている。なお、前記保持用Ｅリング１２ｃｃが前記保持用凹部１２ｅｃ内に位置している。
【００５２】
前記支持用雄ねじ部１２ｇは、前記支持軸１２ｂの外周面に刻設されている。前記支持用Ｅリング１２ｈは、抜け止め用として前記支持用雄ねじ部１２ｇの上端に嵌められている。更に、前記支柱部１２ｅの他側の端部には、前記支持軸１２ｂに対応する内周面に雌ねじが刻設された取り付け孔としての支持用挿通孔１２ｅｄが形成され、前記支持用挿通孔１２ｅｄには、前記外装ケース２の前記両側面と平行な方向、すなわち、上下に向かって支持用凹部１２ｅｅが形成されている。
【００５３】
また、前記外装ケース２には、図８（Ｃ）に示すように、前記外装ケース２の前記両側面の前部および後部には、前記保持部１２ｃの前記保持軸１２ｃａに対応する内周面に雌ねじが刻設された保持孔２ｆが形成されている。前記保持孔２ｆには、前記外装ケース２の前記両側面から突設され、前記保持用凹部１２ｅｃにかみ合うように凸部２ｆａが形成されている。
【００５４】
前記外装ケース２を支持する前記支持手段１２は、前記外装ケース２の前記保持孔２ｆに前記保持部１２ｃの前記保持用雄ねじ部１２ｃｂにより螺合させるとともに、前記支柱部１２ｅの前記保持用凹部１２ｅｃに前記保持部１２ｃの前記保持用Ｅリング１２ｃｃが収まって、かつ、前記外装ケース２の前記凸部２ｆａが前記保持用Ｅリング１２ｃｃ上で前記保持用凹部１２ｅｃとかみ合うように構成され、前記外装ケース２の前記両側面において前記支持手段１２を保持するようになっている。
【００５５】
前記支持部１２ａは、前記支柱部１２ｅの前記支持用挿通孔１２ｅｄに前記支持部１２ａの前記支持用雄ねじ部１２ｇにより螺合させ、前記支柱部１２ｅの前記支持用凹部１２ｅｅに前記支持部１２ａの前記支持用Ｅリング１２ｈが収まるように構成され、前記支持部１２ａを回転することで投射角度の調整を行うことができ、前記支持部１２ａを回転し過ぎたとしても前記支持用Ｅリング１２ｈにより抜け落ちることがないようになっている。
【００５６】
なお、これまで説明してきた実施例３による前記プロジェクタ１においても、前記実施例１と同様に、図２（Ａ）および図２（Ｂ）に示すように、前記室内７に配置された前記テーブル９上に前記プロジェクタ１を載置する場合や、前記室内７に配置された前記高い棚１０上に前記プロジェクタ１を載置する場合に適用できる。これは、図７（Ｂ）および図７（Ｃ）に示すように、前記テーブル９上に前記プロジェクタ１を載置する場合、前記支柱部１２ｅを前記手かけ１２ｅａにより、前記回動部１２ｄを中心に、前記支持部１２ａの位置が前記外装ケース２の前面側になるように回動させ、前記保持部１２ｃを前記保持孔２ｆ上で、前記支柱部１２ｅの弾性作用により浮かせながら、前記保持部１２ｃを前記保持孔２ｆに一致させ、前述のように保持することにより利用できる。また、前記高い棚１０上に前記プロジェクタ１を載置する場合、前記支柱部１２ｅを前記手かけ１２ｅａにより、前記回動部１２ｄを中心に、前記支持部１２ａの位置が前記外装ケース２の後面側になるように回動させ、前記保持部１２ｃを前記保持孔２ｆ上で、前記支柱部１２ｅの弾性作用により浮かせながら、前記保持孔２ｆに前記保持部１２ｃを一致させ、前述のように保持するようにし、前記プロジェクタ１を上下反転することにより利用できる。
【００５７】
更に、前記手かけ１２ｅａを、前記プロジェクタ１の運搬用手かけと兼用するようにしており、前記テーブル９上に載置する方法または前記高い棚１０上へ載置する方法のどちらの載置方法を採用しても、前記プロジェクタ１の天井側に前記運搬用手かけが位置するため、持ち運びの利便性を向上している。
【００５８】
これまで説明してきた実施例３では、前記支柱部１２ｅを前記手かけ１２ｅａにより、前記回動部１２ｄを中心に、前記支持部１２ａの位置が前記外装ケース２の前面側または後面側になるように回動させ、前記保持部１２ｃを前記保持孔２ｆ上で、前記支柱部１２ｅの弾性作用により浮かせながら、前記保持孔２ｆに前記保持部１２ｃを一致させ、保持するようにしているが、本発明はこれに限るものではなく、前記支柱部１２ｅが弾性作用を持たない場合でもよい。この場合、図９（Ａ）に示すように、前記回動部１２ｄに替わる回動部１２ｄ’の回動機能の構造として、図８（Ｃ）に示す支持手段の保持機能と同じ構造を適用し、図９（Ｂ）および図９（Ｃ）に示すように、支持手段の保持機能の構造として、図８（Ｃ）に示す前記保持用挿通孔１２ｅｂの構造を、その内周面に雌ねじが刻設された保持用挿通孔１２ｅｂ’に変形するとともに、前記保持用Ｅリング１２ｃｃを有しない構造にすることにより実現することができる。
【００５９】
回動機能の構造は、図９（Ａ）に示すように、回動部１２ｄ’には、回動用軸１２ｄａ’と、回動用雄ねじ部１２ｄｂ’と、回動用Ｅリング１２ｄｃ’と、支柱部１２ｅと、回動用挿通孔１２ｄｄ’と、回動用凹部１２ｄｅ’とを備え、前記外装ケース２には、回動用孔２ｆ’と、回動用凸部２ｆａ’とを備えている。これらの構成は、図８（Ｃ）に示す構成と同じであるので、詳細な説明は省略することとし、動作のみ説明する。
【００６０】
まず、前記回動部１２ｄ’において、前記回転用雄ねじ部１２ｄｂ’が前記回転用孔２ｆ’の途中まで回転させた状態にする。一方、前記保持部１２ｃにおいて、前記保持用雄ねじ部１２ｃｂが前記保持用挿通孔１２ｅｂ’の途中まで回転させた状態にする。これらの状態にすることで、前記回動部１２ｄ’では、前記支柱部１２ｅが前記外装ケース２の両側面から離れた位置となるので、前記回動用軸１２ｄａ’を中心に前記支柱部１２ｅを回転できるようになる。
【００６１】
そして、前記保持部１２ｃでは、前記支柱部１２ｅの前記保持用凹部１２ｅｃから前記保持孔２ｆの前記凸部２ｆａとの嵌め合いが開放され、前記支柱部１２ｅが前記外装ケース２の前記両側面から離れた位置となるので、前記手かけ１２ｅａの操作で、前記回動用軸１２ｄａ’を中心に、前記支持部１１ａの位置を前記外装ケース２の前記両側面の後部から上側に突設するか、前記両側面の前部から下側に突設するかを切替可能にすることができる。
【００６２】
これまで説明してきた実施例３によれば、前記実施例１と同様に、前記外装ケース２には、前記両側面の後部から上側に突設するか、前記両側面の前部から下側に突設するかを切替可能にした前記支持手段１２を設けているので、支持手段の操作の煩わしさや紛失の恐れを防止することができ、また、前記支持手段１２を必要な箇所に設けるようにしたので、製造コストを安価に抑えることができる。
【００６３】
以上説明してきた前記実施例１乃至前記実施例３では、前記支持手段５、１１，１２が投射角度の調整を行うことができるように、チルト機能を備えた構成としたが、本発明はこれに限るものではなく、チルト機能を持たない支持手段でもよく、簡単な構成にすることができる。また、前記実施例１乃至前記実施例３では、前記支持手段５、１１，１２および前記補助支持部６、６ａを備えた構成としたが、本発明はこれに限るものではなく、前記支持手段のみを備え、前記補助支持部６、６ａがなくてもよい。
【図面の簡単な説明】
【００６４】
【図１】本発明によるプロジェクタの第一実施例を模式的に示す図で（Ａ）は斜視図、（Ｂ）は側面図、（Ｃ）は支持手段のチルト機能未使用時の断面図、（Ｄ）は支持手段のチルト機能使用時の断面図である。
【図２】本発明によるプロジェクタを載置した状態を示す図で（Ａ）はテーブルに載置した状態を示す図、（Ｂ）は高所の棚に載置した状態を示す図である。
【図３】本発明によるプロジェクタの第一実施例の変形例を模式的に示す図で（Ａ）は斜視図、（Ｂ）は支持手段のチルト機能未使用時の断面図、（Ｃ）は支持手段のチルト機能使用時の断面図である。
【図４】本発明によるプロジェクタの第二実施例を模式的に示す図で（Ａ）は斜視図、（Ｂ）は側面図、（Ｃ）は支持手段のチルト機能未使用時の断面図、（Ｄ）は支持手段のチルト機能使用時の断面図である。
【図５】図４における支持手段の収納機能を説明する図で（Ａ）は断面図、（Ｂ）は（Ａ）のａ−ａ’矢視の断面図である。
【図６】本発明によるプロジェクタの第二実施例の変形例を模式的に示す図で（Ａ）は補助支持部を外装ケースに設けた斜視図、（Ｂ）は補助支持部を支持手段に設けた斜視図である。
【図７】本発明におけるプロジェクタの第三実施例を模式的に示す図で（Ａ）は斜視図、（Ｂ）はテーブルに載置する場合の支持手段の状態を示す側面図、（Ｃ）は高所の棚にひっくり返して載置する場合の支持手段の状態を示す側面図である。
【図８】図７における支持手段の断面図で（Ａ）は支持手段のチルト機能未使用時の断面図、（Ｂ）は支持手段のチルト機能使用時の断面図、（Ｃ）は支持手段の保持機能を示す断面図である。
【図９】図７における支持手段の他の例の断面図で（Ａ）は支持手段の回動部を示す断面図、（Ｂ）は支持手段の保持機能の保持状態を示す断面図、（Ｃ）は支持手段の保持機能の開放状態を示す断面図である。
【符号の説明】
【００６５】
１  プロジェクタ
２  外装ケース
２ａ  挿通孔
２ｂ  凹部
２ｃ  上面部分
２ｄ  下面部分
２ｅ  側面部分
２ｆ  保持孔
２ｆ’  回動用孔
２ｆａ  凸部
２ｆａ’  回動用凸部
２ｇ  収容部
２ｇ’  収容部
２ｈａ  前側収納部
２ｈｂ  後側収納部
２ｉ  ガイド孔
２ｉａ  第一ガイド溝
２ｉｂ  第一保持穴
２ｉｃ  第二ガイド溝
２ｉｄ  第二保持穴
３  投射レンズ
４  表示部
５  支持手段
５ａ  支持部
５ｂ  支持軸
５ｃ  雄ねじ部
５ｄ  Ｅリング
５ｅ  凹部
６  補助支持部
６ａ  補助支持部
７  室内
８  スクリーン
９  テーブル
１０  高い棚
１１  支持手段
１１ａ  支持部
１１ｂ  支持軸
１１ｃ  主軸
１１ｃａ  挿通孔
１１ｃｂ  凹部
１１ｃｃ  突出部
１１ｃｄ  保持片
１１ｃｅ  バネ
１１ｄ  雄ねじ部
１１ｅ  Ｅリング
１２  支持手段
１２ａ  支持部
１２ｂ  支持軸
１２ｃ  保持部
１２ｃａ  保持軸
１２ｃｂ  保持用雄ねじ部
１２ｃｃ  保持用Ｅリング
１２ｄ  回動部
１２ｄ’  回動部
１２ｄａ’回動用軸
１２ｄｂ’回動用雄ねじ部
１２ｄｃ’回動用Ｅリング
１２ｄｄ’回動用挿通孔
１２ｄｅ’回動用凹部
１２ｅ  支柱部
１２ｅａ  手かけ
１２ｅｂ  保持用挿通孔
１２ｅｂ’  保持用挿通孔
１２ｅｃ  保持用凹部
１２ｅｄ  支持用挿通孔
１２ｅｅ  支持用凹部
１２ｇ  支持用雄ねじ部
１２ｈ  支持用Ｅリング
【図１】
2007057742.tif 000003
【図２】
2007057742.tif 000004
【図３】
2007057742.tif 000005
【図４】
2007057742.tif 000006
【図５】
2007057742.tif 000007
【図６】
2007057742.tif 000008
【図７】
2007057742.tif 000009
【図８】
2007057742.tif 000010
【図９】
2007057742.tif 000011